(57)【要約】【課題】  効果的にコストを低減する伝送装置及び伝送方法を提供する。【解決手段】  波長が異なる複数の光信号をそれぞれ送信する複数の光送信器と、前記複数の光送信器から送信された前記複数の光信号を合波する複数の光カプラと、前記複数のカプラの各々が合波して得た多重光信号を多重する波長選択スイッチとを有し、前記複数の光信号のうち、波長間隔が所定値より小さい光信号同士が、前記複数の光カプラのうち、別々の光カプラに送信される。【選択図】図１２
2014093745.tif 000002
【特許請求の範囲】
【請求項１】
波長が異なる複数の光信号をそれぞれ送信する複数の光送信器と、
前記複数の光送信器から送信された前記複数の光信号を合波する複数の光カプラと、
前記複数のカプラの各々が合波して得た多重光信号を多重する波長選択スイッチとを有し、
前記複数の光信号のうち、波長間隔が所定値より小さい光信号同士が、前記複数の光カプラのうち、別々の光カプラに送信されることを特徴とする伝送装置。
【請求項２】
前記複数の光信号のうち、波長に割り当てられたチャネル番号が連続する光信号同士が、前記複数の光カプラのうち、別々の光カプラに送信されることを特徴とする請求項１に記載の伝送装置。
【請求項３】
前記複数の光信号のうち、前記チャネル番号が奇数である光信号と、前記チャネル番号が偶数である光信号とが、前記複数の光カプラのうち、別々の光カプラに送信されることを特徴とする請求項２に記載の伝送装置。
【請求項４】
前記複数の光送信器から送信された前記複数の光信号の送信先を、前記複数の光カプラからそれぞれ選択する複数の選択部を、さらに有することを特徴とする請求項１乃至３の何れかに記載の伝送装置。
【請求項５】
前記複数の光信号の各々の波長に基づいて、前記複数の選択部をそれぞれ制御する制御部を、さらに有することを特徴とする請求項４に記載の伝送装置。
【請求項６】
前記複数の光送信器から送信された前記複数の光信号の波長をそれぞれ検出し、検出した波長を前記制御部に通知する複数の第１検出部を、さらに有することを特徴とする請求項５に記載の伝送装置。
【請求項７】
前記複数の光送信器から送信された前記複数の光信号を順次に選択し、選択した光信号の波長を検出して、前記制御部に通知する第２検出部を、さらに有することを特徴とする請求項５に記載の伝送装置。
【請求項８】
波長が異なる複数の光信号のうち、波長間隔が所定値より小さい光信号同士を別々の光カプラに送信し、各光カプラにより合波して得た多重光信号を、波長選択スイッチにより多重して伝送することを特徴とする伝送方法。
【発明の詳細な説明】
【技術分野】
【０００１】
本件は、伝送装置及び伝送方法に関する。
【背景技術】
【０００２】
通信の需要が増加するに伴って、波長多重技術（ＷＤＭ：Ｗａｖｅｌｅｎｇｔｈ  Ｄｉｖｉｓｉｏｎ  Ｍｕｌｔｉｐｌｅｘｉｎｇ）を利用した光ネットワークが広く普及している。波長多重技術は、波長が異なる複数の光信号を多重して伝送する技術である。波長多重技術によると、例えば、伝送速度４０（Ｇｂｐｓ）×４０波の光信号の多重化を行い、１．６（Ｔｂｐｓ）の波長多重光信号（以下、多重光信号と表記する）として伝送することが可能である。
【０００３】
ＷＤＭ技術を利用した伝送装置として、ＲＯＡＤＭ（Ｒｅｃｏｎｆｉｇｕｒａｂｌｅ  Ｏｐｔｉｃａｌ  Ａｄｄ−Ｄｒｏｐ  Ｍｕｌｔｉｐｌｅｘｅｒ）などと呼ばれる光分岐挿入装置が知られている。光分岐挿入装置は、トランスポンダなどと呼ばれる複数の光送受信器を有している。複数の光送受信器は、外部のネットワークとの間において、互いに異なる波長の光信号を送受信する。
【０００４】
光分岐挿入装置は、複数の光送受信器から入力された異なる波長の光信号を多重して、多重光信号として他のノードに伝送する。また、光分岐挿入装置は、他のノードから多重光信号を受信し、任意の波長の光信号を分離して複数の光送受信器に出力する。これにより、光分岐挿入装置は、任意の波長の光信号を挿入及び分岐する。
【０００５】
光分岐挿入装置は、複数の光信号を多重光信号に多重するため、または、多重光信号を波長ごとの光信号に分離するため、方路ごとに波長選択スイッチ（ＷＳＳ：Ｗａｖｅｌｅｎｇｔｈ  Ｓｅｌｅｃｔｉｖｅ  Ｓｗｉｔｃｈ）が設けられている。ここで、方路とは、光分岐挿入装置及び接続対象の他ノードの間の伝送路である。
【０００６】
光分岐挿入装置に関し、例えば特許文献１には、伝送速度が互いに異なる複数の光信号を挿入及び分岐するため、波長選択の周波数間隔が互いに異なる複数の波長選択スイッチを設ける点が開示されている。また、特許文献２には、光信号の分岐及び挿入において、波長のチャネル番号が偶数である光信号と、奇数である光信号とを、異なる光合波器により合波し、また、異なる光分波器により分波する点が開示されている。
【先行技術文献】
【特許文献】
【０００７】
【特許文献１】特開２０１２−２３７８１号公報
【特許文献２】特開２００５−１４３０３６号公報
【発明の概要】
【発明が解決しようとする課題】
【０００８】
挿入する複数の光信号を合波する合波手段として、アレイ導波路格子（ＡＷＧ：Ａｒｒａｙｅｄ  Ｗａｖｅｇｕｉｄｅ  Ｇｒａｔｉｎｇ）がある。このアレイ導波路格子は、通過可能な光の波長がポートごとに決まっているので、波長設定の利便性が低い。
【０００９】
このような波長の制約を排除するカラーレス（Ｃｏｌｏｒｌｅｓｓ）機能を実現するため、上記の特許文献１のように、波長選択スイッチを合波手段として用いることも可能である。しかし、波長選択スイッチは高価であるため、装置コストが増加する。
【００１０】
そこで本件は上記の課題に鑑みてなされたものであり、効果的にコストを低減する伝送装置及び伝送方法を提供することを目的とする。
【課題を解決するための手段】
【００１１】
本明細書に記載の伝送装置は、波長が異なる複数の光信号をそれぞれ送信する複数の光送信器と、前記複数の光送信器から送信された前記複数の光信号を合波する複数の光カプラと、前記複数のカプラの各々が合波して得た多重光信号を多重する波長選択スイッチとを有し、前記複数の光信号のうち、波長間隔が所定値より小さい光信号同士が、前記複数の光カプラのうち、別々の光カプラに送信される。
【００１２】
本明細書に記載の伝送方法は、波長が異なる複数の光信号のうち、波長間隔が所定値より小さい光信号同士を別々の光カプラに送信し、各光カプラにより合波して得た多重光信号を、波長選択スイッチにより多重して伝送する方法である。
【発明の効果】
【００１３】
本明細書に記載の伝送装置及び伝送方法は、効果的にコストを低減するという効果を奏する。
【図面の簡単な説明】
【００１４】
【図１】伝送装置のネットワーク構成の一例を示す構成図である。
【図２】伝送装置の機能構成の一例を示す構成図である。
【図３】第１比較例に係る伝送装置のＭＵＸ部及びＤＥＭＵＸ部の構成を示す構成図である。
【図４】第２比較例に係る伝送装置（４０波のＲＯＡＤＭ装置）のＭＵＸ部及びＤＥＭＵＸ部の構成を示す構成図である。
【図５】第２比較例に係る伝送装置（８０波のＲＯＡＤＭ装置）のＭＵＸ部及びＤＥＭＵＸ部の構成を示す構成図である。
【図６】波長選択スイッチを示す図である。
【図７】波長選択スイッチの構成を示す構成図である。
【図８】第３比較例に係る伝送装置のＭＵＸ部及びＤＥＭＵＸ部の構成を示す構成図である。
【図９】１００（Ｇｂｐｓ）の光信号のスペクトル波形を示す波形図である。
【図１０】隣接チャネルの光信号の合波時のスペクトル波形を示す波形図である。
【図１１】クロストークの大きさに対するペナルティの関係を示すグラフである。
【図１２】第１実施例に係る伝送装置のＭＵＸ部及びＤＥＭＵＸ部の構成を示す構成図である。
【図１３】第２実施例に係る伝送装置のＭＵＸ部及びＤＥＭＵＸ部の構成を示す構成図である。
【図１４】設定テーブルの一例を示す表である。
【図１５】第３実施例に係る伝送装置のＭＵＸ部及びＤＥＭＵＸ部の構成を示す構成図である。
【図１６】第４実施例に係る伝送装置のＭＵＸ部及びＤＥＭＵＸ部の構成を示す構成図である。
【図１７】伝送方法を示すフローチャートである。
【図１８】第５実施例に係る伝送装置のＭＵＸ部及びＤＥＭＵＸ部の構成を示す構成図である。
【図１９】チャネル番号が奇数である光信号の合波時のスペクトル波形を示す波形図である。
【図２０】チャネル番号が偶数である光信号の合波時のスペクトル波形を示す波形図である。
【図２１】第６実施例に係る伝送装置のＭＵＸ部及びＤＥＭＵＸ部の構成を示す構成図である。
【図２２】第７実施例に係る伝送装置のＭＵＸ部及びＤＥＭＵＸ部の構成を示す構成図である。
【図２３】第８実施例に係る伝送装置のＭＵＸ部及びＤＥＭＵＸ部の構成を示す構成図である。
【図２４】他の伝送方法を示すフローチャートである。
【図２５】図２１に示された伝送装置の変形例の構成を示す構成図である。
【発明を実施するための形態】
【００１５】
図１は、伝送装置のネットワーク構成の一例を示す構成図である。本明細書において、伝送装置として、ＲＯＡＤＭ装置を例示するが、これに限定されることはない。
【００１６】
各伝送装置１は、互いに光ファイバにより接続され、例えばリング型のネットワーク８０を構成する。伝送装置１は、それぞれ、両隣のノードの伝送装置１との間を結ぶ２つの方路＃１，＃２を有している。
【００１７】
ネットワーク管理装置（ＮＭＳ：Ｎｅｔｗｏｒｋ  Ｍａｎａｇｅｍｅｎｔ  Ｓｙｓｔｅｍ）８は、ネットワーク８０内の各伝送装置１を管理する。ネットワーク管理装置８は、ＬＡＮ（Ｌｏｃａｌ  Ａｒｅａ  Ｎｅｔｗｏｒｋ）などの監視制御用ネットワークＮＷを介して、各伝送装置１と接続されている。
【００１８】
各伝送装置１は、各波長λin１，λin２，λin３・・・の光信号が入力され、該光信号を波長多重して隣のノードに伝送する。また、各伝送装置１は、各波長λout１，λout２，λout３・・・の光信号を、隣のノードから伝送された多重光信号から分離して出力する。したがって、ネットワーク管理装置８を用いて、各伝送装置１に入出力される光信号の波長ごとにチャネルを割り当てることによって、任意のノードの伝送装置１の間において任意の波長の光信号が伝送される。なお、以降の説明において、外部から伝送装置１への光信号λin１，λin２，λin３・・・の入力を「挿入」と表記し、伝送装置１から外部への光信号λout１，λout２，λout３・・・の出力を「分岐」と表記する。
【００１９】
図２は、伝送装置１の機能構成の一例を示す構成図である。伝送装置１は、設定制御部１０と、記憶部１１と、複数のアンプユニット３と、複数のスイッチユニット２と、複数のＤＥＭＵＸ部１３と、複数のＭＵＸ部１４と、複数の光送受信器（ＴＰ：ＴｒａｎｓＰｏｎｄｅｒ）１５とを有する。スイッチユニット２、アンプユニット３、ＤＥＭＵＸ部１３、及びＭＵＸ部１４は、方路＃１〜＃Ｎごとに設けられている。なお、図２には、方路＃１及び＃２にそれぞれ対応する機能構成のみが示されているが、他方路に対応する機能構成も同様である。
【００２０】
複数のアンプユニット３は、それぞれ、方路＃１〜＃Ｎから入力された多重光信号を増幅する入力側増幅器（プリアンプ）３２、及び、方路＃１〜＃Ｎに出力される多重光信号を増幅する出力側増幅器（ポストアンプ）３１を有する。また、複数のスイッチユニット２は、それぞれ、入力側波長選択スイッチ（ＷＳＳ）２１及び出力側波長選択スイッチ（ＷＳＳ）２２を有する。
【００２１】
入力側波長選択スイッチ２１は、入力ポートから入力された多重光に含まれる波長を選択し、選択した波長の光を多重化して複数の出力ポートの各々から出力する。入力側波長選択スイッチ２１の入力ポートは、入力側増幅器３２の出力ポートと接続され、一方、複数の出力ポートは、ＤＥＭＵＸ部１３及び他方路＃１〜＃Ｎの出力側波長選択スイッチ２２の入力ポートと接続されている。
【００２２】
これにより、入力側波長選択スイッチ２１は、入力側光増幅器３２から入力された多重光信号から、波長ごとに選択した光信号を分離して、ＤＥＭＵＸ部１３、他方路＃１〜＃Ｎの波長選択スイッチ２２にそれぞれ出力する。なお、入力側波長選択スイッチ２１に代えて、光スプリッタが用いられてもよい。
【００２３】
出力側波長選択スイッチ２２は、複数の入力ポートからそれぞれ入力された光の波長を選択し、選択した波長の光を多重化して出力ポートから出力する。出力側波長選択スイッチ２２の複数の入力ポートは、ＭＵＸ部１４及び他方路＃１〜＃Ｎの入力側波長選択スイッチ２１の出力ポートと接続され、一方、出力ポートは、出力側増幅器３１の入力ポートと接続されている。これにより、出力側波長選択スイッチ２２は、ＭＵＸ部１４から入力された多重光信号を、他方路＃１〜＃Ｎの入力側波長選択スイッチ２１から入力された多重光信号に多重して出力する。
【００２４】
出力側波長選択スイッチ２２から出力された多重光信号は、出力側増幅器３１により増幅されて、該当する方路＃１〜＃Ｎに伝送される。なお、波長選択スイッチ２１，２２の波長の選択は、設定制御部１０からの設定に従って行われる。
【００２５】
設定制御部（制御部）１０は、例えばＣＰＵ（Ｃｅｎｔｒａｌ  Ｐｒｏｃｅｓｓｉｎｇ  Ｕｎｉｔ）などの演算処理回路であり、所定のプログラムに基づいて伝送装置１を制御する。設定制御部１０は、監視制御用ネットワークＮＷを介して、ネットワーク管理装置８と通信を行う。なお、設定制御部１０は、ソフトウェアにより機能するものに限定されることはなく、特定用途向け集積回路などのハードウェアにより機能するものであってもよい。
【００２６】
記憶部１１は、例えばメモリであり、光信号の波長に対するチャネル番号の割当設定が登録された設定テーブルを記憶する。設定制御部１０は、設定テーブルを参照して、波長選択スイッチ２１，２２などに対して設定処理を行う。
【００２７】
ＤＥＭＵＸ部１３は、光信号の分岐のため、入力側波長選択スイッチ２１から出力された多重信号から、各波長λout（ｉ）の光信号を分離して、複数の光送受信器１５の各々に出力する。ＭＵＸ部１４は、光信号の挿入のため、外部の装置から光送受信器１５を介して入力された各波長λin（ｉ）の光信号を多重して、出力側波長選択スイッチ２２の入力ポートに出力する。
【００２８】
ＤＥＭＵＸ部１３及びＭＵＸ部１４の構成としては、複数の形態がある。図３は、第１比較例に係る伝送装置１のＭＵＸ部１４及びＤＥＭＵＸ部１３の構成を示す構成図である。図３には、８０波の光信号の挿入及び分岐が可能なＲＯＡＤＭ装置が示されている。なお、図３において、図２と共通する構成については、同一の符号を付し、その説明を省略する。これは、以降も同様とする。
【００２９】
ＤＥＭＵＸ部１３及びＭＵＸ部１４は、アレイ導波路格子（ＡＷＧ）１３０，１４０をそれぞれを含む。アレイ導波路格子１４０は、複数の光送受信器１５とそれぞれ接続された複数の入力ポート１４０ａを有する。アレイ導波路格子１３０は、複数の光送受信器１５とそれぞれ接続された複数の出力ポート１３０ａを有する。
【００３０】
アレイ導波路格子１４０，１３０は、ポート１４０ａ，１３０ａごとに入出力される光の波長λ１〜λ８０が予め決まっている。このため、設定制御部１０は、アレイ導波路格子１４０，１３０に波長の設定を行うことができない。したがって、第１比較例に係る伝送装置１は、波長設定の利便性が低い。
【００３１】
このような波長の制約を排除するカラーレス機能を実現するため、アレイ導波路格子１４０，１３０に代えて、波長選択スイッチを合波手段として用いてもよい。図４は、第２比較例に係る伝送装置（４０波のＲＯＡＤＭ装置）１のＭＵＸ部１４及びＤＥＭＵＸ部１３の構成を示す構成図である。
【００３２】
ＭＵＸ部１４は、光カプラ１４１と、複数の波長選択スイッチ（１）〜（５）１４２とを含み、ＤＥＭＵＸ部１３は、波長選択スイッチ１３１を含む。波長選択スイッチ（１）〜（５）１４２は、それぞれ、複数の光送受信器１５と接続され、光信号が入力される。例えば、波長選択スイッチ（１）１４２は、波長λ１〜λ８の光信号が入力され、波長選択スイッチ（５）１４２は、波長λ３３〜λ４０の光信号が入力される。各波長選択スイッチ（１）〜（５）１４２において選択される波長の設定は、設定制御部１０により行われる。
【００３３】
波長選択スイッチ（１）〜（５）１４２は、それぞれ、入力された８つの光信号を合波して光カプラ１４１に出力する。光カプラ１４１は、１つの入力ポートと、５つの出力ポートとを有し（「１×５」と表記。以下、同様の表記とする。）、波長選択スイッチ（１）〜（５）１４２が合波して得た各光多重信号を合波して、出力側波長選択スイッチ２２に出力する。
【００３４】
また、入力側波長選択スイッチ２１から出力された光多重信号は、波長選択スイッチ１３１に入力される。波長選択スイッチ１３１は、複数の光送受信器１５と接続され、設定制御部１０の設定に従って、光多重信号を波長ごとに分離して、各光送受信器１５に出力する。
【００３５】
第２比較例に係る伝送装置１は、設定制御部１０によりＭＵＸ部１４及びＤＥＭＵＸ部１３に入出力される波長を選択できるので、波長設定の利便性が高い。一方、第２比較例に係る伝送装置１は、複数の波長選択スイッチ１４２を用いるので、第１比較例と比べると、装置コストが高い。装置コストは、挿入する光信号の波長数が多いほど、波長選択スイッチの数またはポート数が増えるため、増加する。
【００３６】
図５は、第２比較例に係る伝送装置（８０波のＲＯＡＤＭ装置）１のＭＵＸ部１４及びＤＥＭＵＸ部１３の構成を示す構成図である。ＭＵＸ部１４は、８０波（波長λ１〜λ８０）の光信号を挿入するため、１×１０ポートの光カプラ１４１と、図４の伝送装置の２倍である１０個の波長選択スイッチ（１）〜（１０）１４２とを備える。したがって、この伝送装置１のコストは、図４の場合と比べると、ＭＵＸ部１４だけで約２倍となる。
【００３７】
ここで、図６及び図７を参照して、波長選択スイッチについて説明する。図６に示されるように、波長選択スイッチは、多重光信号から任意の波長λ１〜λｍの光信号を挿入及び分岐し、任意の光信号を選択して、任意の出力ポートに出力することによって、光による１対多数の接続機能を実現する。より具体的には、波長選択スイッチは、各波長の光信号への分波機能、各波長の光信号の経路の切り替え機能、及び、各波長の光信号の合波機能を具備する。さらに、波長選択スイッチは、光の干渉性を利用して、光のパワー制御も可能である。
【００３８】
図７に示されるように、波長選択スイッチは、コリメータ４０、回折格子４１、レンズ４２、及びＭＥＭＳ（Ｍｉｃｒｏ  Ｅｌｅｃｔｒｏ  Ｍｅｃｈａｎｉｃａｌ  Ｓｙｓｔｅｍｓ）４３を備える。波長λ１〜λｍの光信号を含む多重光信号は、入力ポートから入力され、コリメータ４０及びレンズ４２を経て平行線ビームとなり、回折格子４１によって各波長λ１〜λｍの光信号に分離される。
【００３９】
分離された各波長λ１〜λｍの光信号は、レンズ４２を経て、波長ごとに設けられたＭＥＭＳ４３に到達する。ＭＥＭＳ４３は、例えばマイクロミラーであり、マイクロミラーの角度αを調整することによって、波長ごとに各光信号を出力する出力ポートを決定できる。そして、各波長の光信号は、レンズ４２を経て、回折格子４１によって出力ポートごとに光信号が合波され、所望の出力ポートから出力される。なお、出力ポートは、波長数の制限がないため、波長選択スイッチは、ミリ秒オーダーでトラヒックを柔軟に振り分けることができる。
【００４０】
図８は、第３比較例に係る伝送装置１のＭＵＸ部１４及びＤＥＭＵＸ部１３の構成を示す構成図である。この伝送装置１は、高価な波長選択スイッチに代わる合波手段として、安価な光カプラが設けられている。ＭＵＸ部１４及びＤＥＭＵＸ部１３は、それぞれ、１×Ｎポートの光カプラ１４３，１３２を含む。
【００４１】
ＤＥＭＵＸ部１３の光カプラ１３２は、入力側波長選択スイッチ２１から入力された多重光信号を分波して、分波して得た各多重光信号を複数の光送受信器１５と出力する。複数の光送受信器１５は、それぞれ、光カプラ１３２から入力された多重光信号から、各々に該当する波長の光信号を分離して受信する。なお、複数の光送受信器１５は、それぞれ、所望の波長光を抽出するためのフィルタを備えている。
【００４２】
ＭＵＸ部１４の光カプラ１４３は、複数の光送受信器１５から、波長が異なる複数の光信号が入力される。光カプラ１４３は、複数の光信号を合波して、出力側波長選択スイッチ２２に出力する。このとき、以下に述べるように、光カプラ１４３に入力された光信号の間においてクロストークが生ずる。
【００４３】
図９は、１００（Ｇｂｐｓ）の光信号のスペクトル波形を示す波形図である。図９に示されるように、１００（Ｇｂｐｓ）の光信号は、１００（ＧＨｚ）のスペクトル幅を有する。
【００４４】
図１０は、隣接チャネルの光信号の合波時のスペクトル波形を示す波形図である。隣接チャネルとは、波長に割り当てられたチャネル番号（ｃｈ１，ｃｈ２参照）が連続する２つのチャネルを指す。
【００４５】
隣接チャネル間の波長間隔Δλ（ピーク間の差）は、例えば、いわゆるＩＴＵ−Ｔグリッドを採用した場合、５０（ＧＨｚ）である。なお、ＩＴＵ−Ｔとは、Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ（国際電気通信連合）を指す。この場合、チャネル番号ｃｈ１及びｃｈ２の各光信号は、各々のスペクトルのサイドモード（つまり、大きさが２番目のピーク）によって互いに干渉し、約２０（ｄＢ）のクロストークを生ずる。
【００４６】
クロストークは、光信号の質を低下させる要因となる。図１１は、クロストークの大きさに対するペナルティの関係を示すグラフである。図１１から理解されるように、上記の場合のように約２０（ｄＢ）のクロストークが生じた場合、約１（ｄＢ）のペナルティが発生する。
【００４７】
これに対し、隣接チャネル間の波長間隔を、例えば１００〜２００（ＧＨｚ）程度にまで広げることにより、クロストークを防止することは可能である。しかしながら、波長間隔を広げると、多重可能な波長数、つまり光信号の数が減少するので、伝送効率が低下するという問題を生ずる。そこで、以下に述べる実施例では、波長が異なる複数の光信号のうち、波長間隔Δλが所定値より小さい光信号同士を別々の光カプラに送信することによって、各光カプラにより合波される光信号間の波長間隔を広げる。
【００４８】
（第１実施例）
図１２は、第１実施例に係る伝送装置１のＭＵＸ部１４及びＤＥＭＵＸ部１３の構成を示す構成図である。なお、図１２において、図８と共通する構成については、同一の符号を付し、その説明を省略する。
【００４９】
ＭＵＸ部１４は、波長選択スイッチ１４４と、複数の光カプラ（１）〜（４）１４５と、複数の光スイッチ（選択部）１４６とを含む。本実施例では、４０波の光信号を挿入するため、光カプラ（１）〜（４）１４５の個数を４個とし、光スイッチ１４６の個数を４０個としているが、これに限定されることはなく、挿入する光信号の数に応じて決定するとよい。例えば８０波の場合、光カプラ１４５の個数を８個とし、光スイッチ１４６の個数を８０個とすればよい。
【００５０】
複数の光スイッチ１４６は、複数の光送受信器（光送信器）１５とそれぞれ接続され、波長λ１〜λ４０の光信号がそれぞれ入力される。また、複数の光スイッチ１４６は、光カプラ（１）〜（４）１４５にそれぞれ接続された４つの出力ポート１４６ａ〜１４６ｄを有する。
【００５１】
複数の光スイッチ１４６は、それぞれ、複数の光送受信器１５からそれぞれ送信された複数の光信号の送信先を、複数の光カプラ（１）〜（４）１４５から選択する。複数の光スイッチ１４６は、例えば光スイッチ素子であり、それぞれ、設定制御部１０からの制御信号に従って、光信号を出力する出力ポート１４６ａ〜１４６ｄの選択を切り替える。
【００５２】
複数の光カプラ（１）〜（４）１４５は、それぞれ、複数の光スイッチ１４６を介して、複数の光送信器１５から送信された複数の光信号を合波する。本実施例では、複数の光カプラ（１）〜（４）１４５は、それぞれ、１×４０ポートを有し、波長選択スイッチ１４４及び複数の光スイッチ１４６の各々と接続されている。複数の光カプラ（１）〜（４）１４５の各々における合波により得られた各多重光信号は、波長選択スイッチ１４４に入力される。
【００５３】
波長選択スイッチ１４４は、１×４ポートを有し、入力側波長選択スイッチ２２及び複数の光カプラ（１）〜（４）１４５と接続されている。波長選択スイッチ１４４は、複数のカプラ（１）〜（４）１４５の各々が合波して得た多重光信号を多重して、入力側波長選択スイッチ２２に出力する。
【００５４】
設定制御部１０は、操作者によるネットワーク管理装置８の操作に従って、複数の光スイッチ１４６を制御する。これにより、波長λ１〜λ４０の光信号の送信先が、それぞれ、複数の光カプラ（１）〜（４）１４５から選択される。この選択は、波長間隔が２００（ＧＨｚ）より小さい光信号同士が、別々の光カプラ（１）〜（４）１４５に送信されるように行われる。言い換えれば、複数の光スイッチ１４６は、波長間隔が２００（ＧＨｚ）より小さい光信号同士が、同一の光カプラ（１）〜（４）１４５に送信されないように、制御される。
【００５５】
本実施例において、波長λ１〜λ４０にチャネル番号ｃｈ１〜ｃｈ４０がそれぞれ割り当てられており、各光カプラ（１）〜（４）１４５は、チャネル番号が３つおきとなるように、１０波の光信号が入力される。つまり、光カプラ（１）１４５には、波長λ１，λ５，λ９，・・・，λ３７の光信号が送信され、光カプラ（２）１４５には、波長λ２，λ６，λ１０，・・・，λ３８の光信号が送信される。また、光カプラ（３）１４５には、波長λ３，λ７，λ１１，・・・，λ３９の光信号が送信され、光カプラ（４）１４５には、波長λ４，λ８，λ１２，・・・，λ４０の光信号が送信される。
【００５６】
このように、波長に割り当てられたチャネル番号が連続する光信号同士を、別々の光カプラ（１）〜（４）１４５に送信することにより、各光カプラ（１）〜（４）１４５で合波される光信号間に、十分な波長間隔が確保される。本実施例では、各光カプラ（１）〜（４）１４５に入力される光信号のチャネル番号は、３つおきであるため、波長間隔Δλは、２００（ＧＨｚ）となる。したがって、図１０に示されるようなクロストークが生ずることはない。
【００５７】
また、波長選択スイッチ１４４は、波長単位のフィルタを有しているため、各光信号は、他波長の光信号のサイドモードにより干渉されることはなく、やはり、クロストークが生ずることはない。なお、波長選択スイッチ１４４の波長選択の設定は、設定制御部１０により行われる。
【００５８】
このように、本実施例に係る伝送装置１は、複数の光信号を挿入するために、まず、複数の光カプラ１４５により合波し、該合波により得た複数の多重光信号を波長選択スイッチ１４４により、さらに多重して伝送する。したがって、高価な波長選択スイッチの個数を、安価な光カプラより少なくすることができるので、装置コストが低減される。なお、本実施例においては、一例として４０波の光信号を挿入する場合を挙げたが、８０波などの他の波数においても同様である。
【００５９】
（第２実施例）
第１実施例では、操作者によるネットワーク管理装置８の操作によって、複数の光スイッチ１４６の出力ポート１４６ａ〜１４６ｄの選択が切り替えられるが、これに限定されない。設定制御部１０は、複数の光信号の各々の波長λ１〜λ４０に基づいて、複数の光スイッチ１４６をそれぞれ制御してもよい。
【００６０】
図１３は、第２実施例に係る伝送装置１のＭＵＸ部１４及びＤＥＭＵＸ部１３の構成を示す構成図である。なお、図１３において、図１２と共通する構成については、同一の符号を付し、その説明を省略する。
【００６１】
設定制御部１０は、複数の光送受信器１５の各々から光信号の波長情報を取得する。この波長情報は、例えば、各光送受信器１５内のメモリなどに記憶されている。そして、設定制御部１０は、波長情報が示す波長に割り当てられたチャネル番号を、記憶部１１に記憶された設定テーブルを参照して判断する。この設定テーブルは、図１４に示されるように、チャネル番号ｃｈ１〜ｃｈ４０及び波長λ１〜λ４０の対応関係を示す情報である。
【００６２】
設定制御部１０は、波長に該当するチャネル番号ｃｈ１〜ｃｈ４０に従って、複数の光スイッチ１４６をそれぞれ制御する。設定制御部１０は、各光カプラ（１）〜（４）１４５に入力される光信号のチャネル番号が３つおきとなるように、各光スイッチ１４６の出力ポート１４６ａ〜１４６ｄの切り替えを制御する。これにより、各光カプラ（１）〜（４）１４５により合波される光信号の波長間隔Δλは、２００（ＧＨｚ）となる。
【００６３】
このように、設定制御部１０は、複数の光信号の各々の波長λ１〜λ４０に基づいて、複数の光スイッチ１４６をそれぞれ制御するため、各光信号の送信先の設定の利便性が向上する。
【００６４】
（第３実施例）
第２実施例において、設定制御部１０は、複数の光送受信器１５の各々から光信号の波長情報を取得したが、これに限定されない。設定制御部１０は、複数の光送受信器１５から送信された複数の光信号の波長λ１〜λ４０をそれぞれ検出する検出手段により波長情報を取得してもよい。
【００６５】
図１５は、第３実施例に係る伝送装置１のＭＵＸ部１４及びＤＥＭＵＸ部１３の構成を示す構成図である。なお、図１５において、図１２と共通する構成については、同一の符号を付し、その説明を省略する。
【００６６】
ＭＵＸ部１４は、複数の信号光監視部（ＯＣＭ：Ｏｐｔｉｃａｌ  Ｃｈａｎｎｅｌ  Ｍｏｎｉｔｏｒ）１４７を、さらに含む。信号光監視部（第１検出部）１４７は、光スイッチ１４６と複数の光送受信器１５の間の導波路上にそれぞれ設けられ、多波長検出器を備える。信号光監視部１４７は、複数の光送受信器１５から送信された複数の光信号の波長λ１〜λ４０をそれぞれ検出して、検出した波長λ１〜λ４０を設定制御部１０に通知する。
【００６７】
設定制御部１０は、第２実施例と同様に、設定テーブルを参照して、検出された波長λ１〜λ４０に割り当てられたチャネル番号ｃｈ１〜ｃｈ４０を判断し、複数の光スイッチ１４６をそれぞれ制御する。このように、設定制御部１０は、信号光監視部１４７により検出された波長λ１〜λ４０に基づいて、複数の光スイッチ１４６をそれぞれ制御するため、各光信号の送信先の設定の利便性が向上する。
【００６８】
（第４実施例）
第３実施例に係る伝送装置１は、波長数、つまりチャネル番号ｃｈ１〜ｃｈ４０の数と同数の信号光監視部１４７を有するが、これに限定されない。図１６は、第４実施例に係る伝送装置１のＭＵＸ部１４及びＤＥＭＵＸ部１３の構成を示す構成図である。なお、図１６において、図１２と共通する構成については、同一の符号を付し、その説明を省略する。
【００６９】
ＭＵＸ部１４は、波長検出部（第２検出部）１２と、複数の分波部１４８とを、さらに含む。複数の分波部１４８は、例えば光スプリッタであり、光スイッチ１４６と光送受信器１５の間の導波路にそれぞれ設けられている。
【００７０】
また、波長検出部１２は、信号光監視部（ＯＣＭ）１２０及び監視用光スイッチ１２１を含む。複数の分波部１４８は、複数の光送受信器１５から送信された複数の光信号をそれぞれ分波する。分波された光信号は、光カプラ１４５と監視用光スイッチ１２１とに入力される。
【００７１】
監視用光スイッチ１２１は、１×４０ポートの光スイッチ素子であり、設定制御部１０の制御に従って出力ポートを切り替えることにより、複数の光信号を順次に選択して信号光監視部１２０に出力する。設定制御部１０は、例えば、チャネル番号ｃｈ１〜ｃｈ４０の昇順または降順に光信号を選択するように制御する。信号光監視部１２０は、選択した光信号の波長を検出して、波長情報として設定制御部１０に通知する。設定制御部１０は、上述したように、波長情報に基づいて複数の光スイッチ１４６を制御する。
【００７２】
このように、設定制御部１０は、１つの信号光監視部１２０から複数の光信号の波長情報を順次に取得するので、第３実施例と比較すると、信号光監視部１２０の数が少なく、装置コストが低減される。
【００７３】
図１７は、上述した伝送装置１を用いて実行される伝送方法を示すフローチャートである。まず、設定制御部１０は、各光信号の波長λ１〜λ４０を示す波長情報を取得する（ステップＳｔ１）。波長情報は、複数の光送受信器１５の各々から取得してもよいし、信号光監視部１２０，１４７により取得してもよい。
【００７４】
次に、設定制御部１０は、波長情報からチャネル番号ｃｈ１〜ｃｈ４０を判断する（ステップＳｔ２）。このとき、設定制御部１０は、図１４に示された設定テーブルを参照し、波長情報が示す波長λ１〜λ４０に対応するチャネル番号ｃｈ１〜ｃｈ４０を判断する。
【００７５】
次に、設定制御部１０は、チャネル番号ｃｈ１〜ｃｈ４０に従って光スイッチ１４６の出力ポート１４６ａ〜１４６ｄを切り替える（ステップＳｔ３）。つまり、ステップＳｔ１〜Ｓｔ３の処理によって、設定制御部１０は、複数の光信号の各々の波長λ１〜λ４０を検出して、検出した波長に基づいて、複数の光信号の各送信先を、複数の光カプラ（１）〜（４）１４５からそれぞれ選択する。これにより、各光信号の送信先の設定の利便性が向上する。
【００７６】
次に、複数の光カプラ（１）〜（４）１４５により、複数の光信号を合波する（ステップＳｔ４）。このとき、波長間隔が２００（ＧＨｚ）より小さい光信号同士は、別々の光カプラ（１）〜（４）１４５に送信される。
【００７７】
より具体的には、波長に割り当てられたチャネル番号ｃｈ１〜ｃｈ４０が連続する光信号同士は、別々の光カプラ（１）〜（４）１４５に送信される。このため、各光カプラ（１）〜（４）１４５で合波される光信号間に、十分な波長間隔が確保され、図１０に示されるようなクロストークが生ずることはない。
【００７８】
次に、光カプラ（１）〜（４）１４５により合波して得た多重光信号を、波長選択スイッチ１４４により多重する（ステップＳｔ５）。上述したように、波長選択スイッチ１４４は、波長単位のフィルタを有しているため、各光信号は、他波長の光信号のサイドモードにより干渉されることはなく、やはり、クロストークを生ずることはない。
【００７９】
波長選択スイッチ１４４から出力された多重光信号は、出力側多重光信号２２により他の光信号とも多重され、出力側増幅器３１を介して伝送される。このようにして、光信号は伝送される。
【００８０】
（第５実施例）
上述した各実施例において、各光カプラ（１）〜（４）１４５には、波長間隔が２００（ＧＨｚ）である１０波の光信号が送信されるが、これに限定されることはない。波長間隔Δλが１００（ＧＨｚ）でも十分である場合、波長間隔Δλが１００（ＧＨｚ）より小さい光信号同士を別々の光カプラに送信してもよい。以下に述べる実施例では、波長間隔Δλを１００（ＧＨｚ）とするため、チャネル番号が奇数（ｃｈ１，ｃｈ３，・・・，ｃｈ３９）である光信号と、チャネル番号が偶数（ｃｈ２，ｃｈ４，・・・，ｃｈ４０）である光信号とが、別々の光カプラに送信される。
【００８１】
図１８は、第５実施例に係る伝送装置１のＭＵＸ部１４及びＤＥＭＵＸ部１３の構成を示す構成図である。図１８において、図１２と共通する構成については、同一の符号を付して、その説明を省略する。
【００８２】
ＭＵＸ部１４は、波長選択スイッチ１４４と、複数の合波部（１）〜（４）１４９と、複数の光スイッチ（選択部）１４６とを含む。複数の合波部（１）〜（４）１４９は、第１光カプラ１４９０及び第２光カプラ１４９１を含む。第１光カプラ１４９０及び第２光カプラ１４９１は、それぞれ、１×１０ポートを有し、波長選択スイッチ１４４及び１０個の光スイッチ１４６と接続されている。
【００８３】
第１光カプラ１４９０は、チャネル番号が奇数（ｃｈ１，ｃｈ３，・・・，ｃｈ３９）である光信号が入力され、第２光カプラ１４９１は、チャネル番号が偶数（ｃｈ２，ｃｈ４，・・・，ｃｈ４０）である光信号が入力される。このため、第１光カプラ１４９０は、チャネル番号が奇数である光信号のみを合波し、第２光カプラ１４９１は、チャネル番号が偶数である光信号のみを合波する。
【００８４】
第１光カプラ１４９０及び第２光カプラ１４９１は、それぞれ、５つの光信号を合波する。より具体的には、合波部（１）において、第１光カプラ１４９０は、チャネル番号ｃｈ１，ｃｈ３，ｃｈ５，ｃｈ７，ｃｈ９、つまり波長λ１、λ３，λ５，λ７，λ９の光信号を合波する。また、第２光カプラ１４９１は、チャネル番号ｃｈ２，ｃｈ４，ｃｈ６，ｃｈ８，ｃｈ１０、つまり波長λ２、λ４，λ６，λ８，λ１０の光信号を合波する。
【００８５】
第１光カプラ１４９０及び第２光カプラ１４９１による合波により得られた各多重光信号は、それぞれ、波長選択スイッチ１４４に入力される。波長選択スイッチ１４４は、１×８ポートを有し、複数の合波部（１）〜（４）１４９からそれぞれ入力された複数の多重光信号を多重して、出力側波長選択スイッチ２２に出力する。
【００８６】
複数の光スイッチ１４６は、それぞれ、１×２ポートの光スイッチ素子であり、第１出力ポート１４６ｋ及び第２出力ポート１４６ｇを有する。第１出力ポート１４６ｋ及び第２出力ポート１４６ｇは、チャネル番号が奇数及び偶数の光信号をそれぞれ出力するためのポートであり、第１光カプラ１４９０及び第２光カプラ１４９１にそれぞれ接続されている。複数の光スイッチ１４６は、それぞれ、設定制御部１０からの制御信号に従って、光信号を出力する第１出力ポート１４６ｋ及び第２出力ポート１４６ｇの選択を切り替える。
【００８７】
設定制御部１０は、操作者によるネットワーク管理装置８の操作に従って、複数の光スイッチ１４６を制御する。これにより、波長λ１〜λ４０の光信号の送信先が、それぞれ、第１光カプラ１４９０及び第２光カプラ１４９１から選択される。この選択は、上述したように、チャネル番号が奇数（ｃｈ１，ｃｈ３，・・・，ｃｈ３９）である光信号と、前記チャネル番号が偶数（ｃｈ２，ｃｈ４，・・・，ｃｈ４０）である光信号とが、別々の光カプラ１４９０，１４９１に送信されるように行われる。
【００８８】
したがって、第１光カプラ１４９０及び第２光カプラ１４９１で合波される光信号間に、十分な波長間隔が確保される。本実施例では、第１光カプラ１４９０及び第２光カプラ１４９１の各々に入力される光信号のチャネル番号は、１つおきであるため、波長間隔は、１００（ＧＨｚ）となる。
【００８９】
図１９は、チャネル番号が奇数である光信号の合波時のスペクトル波形を示す波形図であり、図２０は、チャネル番号が偶数である光信号の合波時のスペクトル波形を示す波形図である。つまり、図１９及び図２０は、第１光カプラ１４９０及び第２光カプラ１４９１にそれぞれ入力された光信号のスペクトル波形を示す。図１９及び図２０から理解されるように、波長間隔Δλを１００（ＧＨｚ）としたことにより、各光信号のサイドローブは、他波長の光信号に干渉することがない。これにより、クロストークの大きさが低減される（約−４０（ｄＢ））。そして、このときのペナルティは、図１１から理解されるように、約０（ｄＢ）であるため、光信号の質が向上する。
【００９０】
（第６実施例）
第５実施例では、操作者によるネットワーク管理装置８の操作によって、複数の光スイッチ１４６の第１出力ポート１４６ｋ及び第２出力ポート１４６ｇの選択が切り替えられるが、これに限定されない。上述した第２実施例のように、設定制御部１０は、複数の光信号の各々の波長λ１〜λ４０に基づいて、複数の光スイッチ１４６をそれぞれ制御してもよい。
【００９１】
図２１は、第５実施例に係る伝送装置１のＭＵＸ部１４及びＤＥＭＵＸ部１３の構成を示す構成図である。なお、図２１において、図１３及び図１８と共通する構成については、同一の符号を付し、その説明を省略する。
【００９２】
設定制御部１０は、複数の光送受信器１５の各々から光信号の波長情報を取得する。そして、設定制御部１０は、波長情報が示す波長に割り当てられたチャネル番号を、記憶部１１に記憶された設定テーブル（図１４参照）を参照して判断する。
【００９３】
設定制御部１０は、波長に該当するチャネル番号ｃｈ１〜ｃｈ４０が、奇数及び偶数の何れであるかを判定し、該判定結果に従って、複数の光スイッチ１４６をそれぞれ制御する。設定制御部１０は、第１光カプラ１４９０には、チャネル番号が奇数の光信号が入力され、第２光カプラ１４９１には、チャネル番号が偶数の光信号が入力されるように、各光スイッチ１４６の第１及び第２出力ポート１４６ｋ，１４６の切り替えを制御する。
【００９４】
このように、設定制御部１０は、複数の光信号の各々の波長λ１〜λ４０に基づいて、複数の光スイッチ１４６をそれぞれ制御するため、各光信号の送信先の設定の利便性が向上する。
【００９５】
（第７実施例）
第６実施例において、設定制御部１０は、複数の光送受信器１５の各々から光信号の波長情報を取得したが、これに限定されない。上述した第３実施例のように、設定制御部１０は、複数の光送受信器１５から送信された複数の光信号の波長λ１〜λ４０をそれぞれ検出する検出手段により波長情報を取得してもよい。
【００９６】
図２２は、第７実施例に係る伝送装置１のＭＵＸ部１４及びＤＥＭＵＸ部１３の構成を示す構成図である。なお、図２２において、図１５及び図１８と共通する構成については、同一の符号を付し、その説明を省略する。
【００９７】
ＭＵＸ部１４は、複数の信号光監視部１４７を、さらに含む。信号光監視部１４７は、複数の光送受信器１５から送信された複数の光信号の波長λ１〜λ４０をそれぞれ検出して、検出した波長λ１〜λ４０を設定制御部１０に通知する。設定制御部１０は、設定情報を参照して、検出された波長λ１〜λ４０に割り当てられたチャネル番号ｃｈ１〜ｃｈ４０を判断し、複数の光スイッチ１４６をそれぞれ制御する。
【００９８】
このように、設定制御部１０は、信号光監視部１４７により検出された波長λ１〜λ４０に基づいて、複数の光スイッチ１４６をそれぞれ制御するため、各光信号の送信先の設定の利便性が向上する。
【００９９】
（第８実施例）
第７実施例に係る伝送装置１は、波長数、つまりチャネル番号の数と同数の信号光監視部１４７を有するが、これに限定されない。図２３は、第８実施例に係る伝送装置１のＭＵＸ部１４及びＤＥＭＵＸ部１３の構成を示す構成図である。なお、図２３において、図１６及び図１８と共通する構成については、同一の符号を付し、その説明を省略する。
【０１００】
ＭＵＸ部１４は、波長検出部（第２検出部）１２と、複数の分波部１４８とを、さらに含む。また、波長検出部１２は、信号光監視部（ＯＣＭ）１２０及び監視用光スイッチ１２１を含む。
【０１０１】
分波部１４８により分波された光信号は、光カプラ１４９０，１４９１と監視用光スイッチ１２１とに入力される。監視用光スイッチ１２１は、設定制御部１０の制御に従い、複数の光信号を順次に選択して信号光監視部１２０に出力する。信号光監視部１２０は、選択した光信号の波長を検出して、波長情報として設定制御部１０に通知する。設定制御部１０は、上述したように、波長情報に基づいて、複数の光スイッチ１４６を制御する。
【０１０２】
このように、設定制御部１０は、１つの信号光監視部１２０から複数の光信号の波長情報を順次に取得するので、第７実施例と比較すると、信号光監視部１２０の数が少なく、装置コストが低減される。
【０１０３】
図２４は、上述した伝送装置１を用いた伝送方法を示すフローチャートである。まず、設定制御部１０は、各光信号の波長λ１〜λ４０を示す波長情報を取得する（ステップＳｔ１１）。次に、設定制御部１０は、波長情報からチャネル番号ｃｈ１〜ｃｈ４０を判断する（ステップＳｔ１２）。
【０１０４】
次に、設定制御部１０は、チャネル番号が奇数であるか否かを判定する（ステップｓｔ１３）。チャネル番号が奇数である場合（ステップＳｔ１３のＹＥＳ）、設定制御部１０は、光スイッチ１４６の出力ポートを、第１出力ポート１４６ｋに切り替える（ステップＳｔ１４）。一方、チャネル番号が奇数でない場合、つまりチャネル番号が偶数である場合（ステップＳｔ１３のＮＯ）、設定制御部１０は、光スイッチ１４６の出力ポートを、第２出力ポート１４６ｇに切り替える（ステップＳｔ１５）。これにより、チャネル番号が奇数（ｃｈ１，ｃｈ３，・・・，ｃｈ３９）である光信号と、チャネル番号が偶数（ｃｈ２，ｃｈ４，・・・，ｃｈ４０）である光信号とが、別々の光カプラ１４９０，１４９１に送信される。これにより、各光カプラ１４９０，１４９１に入力される光信号の波長間隔は、１００（ＧＨｚ）となる。
【０１０５】
全ての光スイッチ１４６について切り替えが完了していない場合（ステップＳｔ１６のＮＯ）、設定制御部１０は、再びステップＳｔ１３の処理を行う。一方、全ての光スイッチ１４６について切り替えが完了した場合（ステップＳｔ１６のＹＥＳ）、各合波部（１）〜（４）１４９の第１及び第２光カプラ１４９０，１４９１により光信号を合波する（ステップＳｔ１７）。
【０１０６】
次に、各合波部（１）〜（４）１４９により合波して得た多重光信号を、波長選択スイッチ１４４により多重する（ステップＳｔ１８）。このようにして、光信号は伝送される。
【０１０７】
（変形例）
また、図２５は、図２１に示された伝送装置１（第６実施例）の変形例の構成を示す構成図である。なお、図２５において、図２１と共通する構成については、同一の符号を付し、その説明を省略する。
【０１０８】
本例において、光スイッチ１４６は、第１及び第２出力ポート１４６ｋ，１４６に加えて、第３出力ポート（シャッターポート）１４６ｓを有する。第３出力ポート（シャッターポート）１４６ｓは、光終端器Ｔと接続されている。
【０１０９】
設定制御部１０は、取得した波長情報が示す波長が、設定テーブル（図１４参照）に登録されていない場合、光スイッチ１４６の出力ポートを、第３出力ポート１４６ｓに切り替える。これにより、設定テーブルに登録されていない波長の光信号は、第３出力ポート１４６ｓから出力されて、光終端器Ｔにより終端される。したがって、該光信号が、ネットワーク８０に送信されることはない。なお、本例の形態は、第６実施例に限定されず、他の実施例に適用してもよい。
【０１１０】
これまで述べたように、複数の光送受信器１５は、波長λ１〜λ４０が異なる複数の光信号をそれぞれ送信し、複数の光カプラ１４５，１４９０，１４９１は、複数の光送受信器１５から送信された複数の光信号を合波する。また、波長選択スイッチ１４４は、複数のカプラ１４５の各々が合波して得た多重光信号を多重する。そして、複数の光信号のうち、波長間隔が所定値より小さい光信号同士は、別々の光カプラ１４５，１４９０，１４９１に送信される。
【０１１１】
本実施例に係る伝送装置１は、まず、複数の光信号を複数の光カプラ１４５，１４９０，１４９１により合波し、該合波により得た複数の多重光信号を波長選択スイッチ１４４により、さらに合波する。したがって、高価な波長選択スイッチの個数を、安価な光カプラより少なくすることができるので、装置コストが低減される。
【０１１２】
また、波長間隔Δλが所定値より小さい光信号同士は、別々の光カプラ１４５，１４９０，１４９１に送信されるので、各光カプラ１４５，１４９０，１４９１は、光信号の質を低下させるクロストークを生ずることなく、複数の光信号を合波する。波長選択スイッチ１４４は、波長単位のフィルタを有しているため、複数のカプラ１４５の各々が合波して得た多重光信号を多重するときに、クロストークを生ずることがない。したがって、本実施例に係る伝送装置１は、光信号の質を低下させることなく、光信号を伝送することができる。なお、上述した実施例では、波長間隔Δλの所定値として、２００（ＧＨｚ）及１００（ＧＨｚ）を挙げたが、これに限定されることはなく、設計に応じて他の数値を採用してもよい。
【０１１３】
また、実施例に係る伝送方法では、波長が異なる複数の光信号のうち、波長間隔が所定値より小さい光信号同士を別々の光カプラ１４５，１４９０，１４９１に送信し、各光カプラにより合波して得た多重光信号を、波長選択スイッチ１４４により多重して伝送する。したがって、実施例に係る伝送方法によれば、実施例に係る伝送装置１と同様の作用効果が得られる。
【０１１４】
以上、好ましい実施例を参照して本発明の内容を具体的に説明したが、本発明の基本的技術思想及び教示に基づいて、当業者であれば、種々の変形態様を採り得ることは自明である。
【０１１５】
なお、以上の説明に関して更に以下の付記を開示する。
（付記１）  波長が異なる複数の光信号をそれぞれ送信する複数の光送信器と、
前記複数の光送信器から送信された前記複数の光信号を合波する複数の光カプラと、
前記複数のカプラの各々が合波して得た多重光信号を多重する波長選択スイッチとを有し、
前記複数の光信号のうち、波長間隔が所定値より小さい光信号同士が、前記複数の光カプラのうち、別々の光カプラに送信されることを特徴とする伝送装置。
（付記２）  前記複数の光信号のうち、波長に割り当てられたチャネル番号が連続する光信号同士が、前記複数の光カプラのうち、別々の光カプラに送信されることを特徴とする付記１に記載の伝送装置。
（付記３）  前記複数の光信号のうち、前記チャネル番号が奇数である光信号と、前記チャネル番号が偶数である光信号とが、前記複数の光カプラのうち、別々の光カプラに送信されることを特徴とする付記２に記載の伝送装置。
（付記４）  前記複数の光送信器から送信された前記複数の光信号の送信先を、前記複数の光カプラからそれぞれ選択する複数の選択部を、さらに有することを特徴とする付記１乃至３の何れかに記載の伝送装置。
（付記５）  前記複数の光信号の各々の波長に基づいて、前記複数の選択部をそれぞれ制御する制御部を、さらに有することを特徴とする付記４に記載の伝送装置。
（付記６）  前記複数の光送信器から送信された前記複数の光信号の波長をそれぞれ検出し、検出した波長を前記制御部に通知する複数の第１検出部を、さらに有することを特徴とする付記５に記載の伝送装置。
（付記７）  前記複数の光送信器から送信された前記複数の光信号を順次に選択し、選択した光信号の波長を検出して、前記制御部に通知する第２検出部を、さらに有することを特徴とする付記５に記載の伝送装置。
（付記８）  波長が異なる複数の光信号のうち、波長間隔が所定値より小さい光信号同士を別々の光カプラに送信し、各光カプラにより合波して得た多重光信号を、波長選択スイッチにより多重して伝送することを特徴とする伝送方法。
（付記９）  前記複数の光信号のうち、波長に割り当てられたチャネル番号が連続する光信号同士を、前記複数の光カプラのうち、別々の光カプラに送信することを特徴とする付記８に記載の伝送方法。
（付記１０）  前記複数の光信号のうち、前記チャネル番号が奇数である光信号と、前記チャネル番号が偶数である光信号とを、前記複数の光カプラのうち、別々の光カプラに送信することを特徴とする付記９に記載の伝送方法。
（付記１１）  前記複数の光信号の各々の波長を検出して、検出した波長に基づいて、前記複数の光信号の送信先を、前記複数の光カプラからそれぞれ選択することを特徴とする付記８乃至１０の何れかに記載の伝送方法。
【符号の説明】
【０１１６】
１                                          伝送装置
１０                                        設定制御部（制御部）
１５                                        光送受信器（光送信器）
１４                                        ＭＵＸ部
１４４                                      波長選択スイッチ（選択部）
１４５，１４９０，１４９１                  光カプラ
１４６                                      光スイッチ
１４７                                      信号光監視部（第１検出部）
１２                                        波長検出部（第２検出部）
【図１】
2014093745.tif 000003
【図２】
2014093745.tif 000004
【図３】
2014093745.tif 000005
【図４】
2014093745.tif 000006
【図５】
2014093745.tif 000007
【図６】
2014093745.tif 000008
【図７】
2014093745.tif 000009
【図８】
2014093745.tif 000010
【図９】
2014093745.tif 000011
【図１０】
2014093745.tif 000012
【図１１】
2014093745.tif 000013
【図１２】
2014093745.tif 000014
【図１３】
2014093745.tif 000015
【図１４】
2014093745.tif 000016
【図１５】
2014093745.tif 000017
【図１６】
2014093745.tif 000018
【図１７】
2014093745.tif 000019
【図１８】
2014093745.tif 000020
【図１９】
2014093745.tif 000021
【図２０】
2014093745.tif 000022
【図２１】
2014093745.tif 000023
【図２２】
2014093745.tif 000024
【図２３】
2014093745.tif 000025
【図２４】
2014093745.tif 000026
【図２５】
2014093745.tif 000027